(57)【要約】【課題】  両面記録が可能な磁気テープを用いても、磁気テープドライブの装置設計が複雑化しない２リール型の磁気テープカートリッジおよびこれを用いてデータの記録／再生を行う磁気テープドライブを提供する。【解決手段】  両面記録が可能な磁気テープＢＭＴが巻回された一対のカートリッジリール２と、この一対のカートリッジリール２が回転可能に収容されたカートリッジケース３とを備え、更に、カートリッジケース３に、磁気テープＢＭＴの第１面ＢＭＴａに対しデータの記録／再生を行うための第１磁気ヘッドと、第１面ＢＭＴａのテープ裏側の第２面ＢＭＴｂに対しデータの記録／再生を行うための第２磁気ヘッドとが挿入される磁気ヘッド挿入口３ｆを備えた磁気テープカートリッジ１とした。【選択図】      図１
2005166094.tif 000002
【特許請求の範囲】
【請求項１】
両面記録が可能な磁気テープが巻回された一対のカートリッジリールと、この一対のカートリッジリールが回転可能に収容されたカートリッジケースとを備えた２リール型の磁気テープカートリッジであって、
前記カートリッジケースに、前記磁気テープの第１面に対しデータの記録／再生を行うための第１磁気ヘッドと、前記第１面のテープ裏側の第２面に対しデータの記録／再生を行うための第２磁気ヘッドとが挿入される磁気ヘッド挿入口を備えたことを特徴とする磁気テープカートリッジ。
【請求項２】
前記磁気ヘッド挿入口を開閉するシャッタが取り付けられたことを特徴とする請求項１に記載の磁気テープカートリッジ。
【請求項３】
請求項１または請求項２に記載された磁気テープカートリッジのカートリッジケースに収容された磁気テープに対し、データの記録／再生を行う磁気テープドライブであって、
前記磁気テープカートリッジが装着されるスピンドルと、
前記磁気テープの第１面に対しデータの記録／再生を行うための第１磁気ヘッドと、
前記第１面のテープ裏側の第２面に対しデータの記録／再生を行うための第２磁気ヘッドとを備え、
前記第１磁気ヘッドおよび前記第２磁気ヘッドは、前記磁気テープカートリッジが前記スピンドルに装着された後に、前記磁気テープに当接する位置まで移動するように構成したことを特徴とする磁気テープドライブ。
【発明の詳細な説明】
【技術分野】
【０００１】
本発明は、両面記録が可能な磁気テープを備えた２リール型の磁気テープカートリッジおよびこれを用いてデータの記録／再生を行う磁気テープドライブに関する。
【背景技術】
【０００２】
ハイビジョン放送やデジタル地上波放送等の高画質放送の普及により、より広帯域の映像データの記録／再生が可能な磁気テープが望まれている。
例えば、磁気テープを構成するベースフィルムの表裏両面に磁性層を設ける等によって得られる両面記録が可能な磁気テープ（以下、単に「両面磁気テープ」という）の第１面およびこの第１面のテープ裏側の第２面のそれぞれに、映像データを２チャンネルに帯域分割して記録し、この記録した映像データを同時再生して合成すれば、広帯域の映像データを再生することが可能となる。
【０００３】
この両面磁気テープを備えた２リール型の磁気テープカートリッジを用いてデータの記録／再生を行う磁気テープドライブとして、例えば特許文献１に記載されたものがある。以下、これについて、図１０〜図１２を参照しながら説明する。図１０は従来の磁気テープドライブにおいて、両面磁気テープの第１面にデータを記録／再生するために、両面磁気テープを回転ヘッドに巻き付けた状態を示す平面図、図１１は両面磁気テープの第２面にデータを記録／再生するために、両面磁気テープを磁気テープカートリッジ内から引き出した状態を示す平面図、図１２は両面磁気テープの第２面にデータを記録／再生するために、両面磁気テープを回転ヘッドに巻き付けた状態を示す平面図である。
【０００４】
図１０に示すように、磁気テープカートリッジ１０１は両面磁気テープ１０２と供給リール１０３と巻取リール１０４とガイドポスト１０５，１０６とを内蔵し、周縁に両面磁気テープ１０２を引き出すための開口部１０７を備えている。
また、磁気テープドライブ１００に備えたローディングポスト１０８，１０９，１１０，１１１およびローディングポスト１１２，１１３，１１４，１１５はそれぞれ一体となって移動するように構成されている。
【０００５】
ローディングポスト位置１０８ａ，１０９ａ，１１０ａ，１１１ａおよびローディングポスト位置１１２ａ，１１３ａ，１１４ａ，１１５ａは、ローディングポスト１０８，１０９，１１０，１１１およびローディングポスト１１２，１１３，１１４，１１５の両面磁気テープ１０２を引き出す前の位置（以下、第１位置という）を示す。また、磁気テープドライブ１００に備えた回転ヘッド１１６は、図１０〜図１２において紙面に垂直な方向に移動が可能となるように取り付けられている。
【０００６】
次に、磁気テープドライブ１００の動作について説明する。まず、両面磁気テープ１０２の第１面１０２ａ（外巻面）にデータを記録／再生するときは、図１０に示すように、第１位置にあるローディングポスト１０８，１０９，１１０，１１１およびローディングポスト１１２，１１３，１１４，１１５が、ローディングポスト移動手段（図示せず）により、磁気テープカートリッジ１０１の開口部１０７から両面磁気テープ１０２を引き出し、回転ヘッド１１６に第１面１０２ａが当接し得る位置（以下、第２位置という）であるローディングポスト位置１０８ｂ，１０９ｂ，１１０ｂ，１１１ｂおよびローディングポスト位置１１２ｂ，１１３ｂ，１１４ｂ，１１５ｂまで矢印Ｐ方向に移動する。このようにして、両面磁気テープ１０２のローディング動作が完了し、第１面１０２ａにデータの記録／再生が可能な状態となる。
【０００７】
次に、両面磁気テープ１０２の第２面１０２ｂ（内巻面）にデータを記録／再生するときは、まず回転ヘッド１１６が、回転ヘッド移動手段（図示せず）により、図１１において紙面奥側に移動する。その後、図１１に示すように、第１位置にあるローディングポスト１０８，１０９，１１０，１１１およびローディングポスト１１２，１１３，１１４，１１５が、ローディングポスト移動手段により、磁気テープカートリッジ１０１の開口部１０７から両面磁気テープ１０２を引き出し、第２位置まで矢印Ｑ方向に移動する。
【０００８】
更に回転ヘッド１１６が、回転ヘッド移動手段により、図１１において紙面手前側に移動して、ローディングポスト１０８，１０９，１１０，１１１およびローディングポスト１１２，１１３，１１４，１１５で形成されたテープループの内側に入り込む。その後、図１２において、第２位置にあるローディングポスト１０８，１０９，１１０，１１１およびローディングポスト１１２，１１３，１１４，１１５がローディングポスト移動手段により、回転ヘッド１１６に両面磁気テープ１０２の第２面１０２ｂが当接し得る位置（第３位置）であるローディングポスト位置１０８ｃ，１０９ｃ，１１０ｃ，１１１ｃおよびローディングポスト位置１１２ｃ，１１３ｃ，１１４ｃ，１１５ｃまで矢印Ｒ方向に移動してローディング動作が完了し、第２面１０２ｂにデータの記録／再生が可能な状態となる。
【特許文献１】特開平６−２９０５１９号公報（段落０００２〜０００６、図５〜図７）
【発明の開示】
【発明が解決しようとする課題】
【０００９】
しかし、前記した磁気テープドライブ１００では、回転ヘッド１１６およびローディングポスト１０８〜１１５のそれぞれを移動させる手段を設けなければならないため、装置設計が複雑化する。
そこで、本発明では、両面磁気テープを用いても、磁気テープドライブの装置設計が複雑化しない２リール型の磁気テープカートリッジおよびこれを用いてデータの記録／再生を行う磁気テープドライブを提供することを課題とする。
【課題を解決するための手段】
【００１０】
前記課題を解決した本発明のうちの請求項１に記載された発明は、両面磁気テープが巻回された一対のカートリッジリールと、この一対のカートリッジリールが回転可能に収容されたカートリッジケースとを備えた２リール型の磁気テープカートリッジであって、前記カートリッジケースに、前記両面磁気テープの第１面に対しデータの記録／再生を行うための第１磁気ヘッドと、前記第１面のテープ裏側の第２面に対しデータの記録／再生を行うための第２磁気ヘッドとが挿入される磁気ヘッド挿入口を備えたことを特徴とする。
【００１１】
請求項１に記載の磁気テープカートリッジでは、カートリッジケースに、両面磁気テープの第１面に対しデータの記録／再生を行うための第１磁気ヘッドと、前記第１面のテープ裏側の第２面に対しデータの記録／再生を行うための第２磁気ヘッドとが挿入される磁気ヘッド挿入口を備えているため、この磁気テープカートリッジを用いて、データの記録／再生を行う場合は、磁気テープカートリッジを、磁気テープドライブに備えたスピンドルに装着した際に、磁気ヘッド挿入口に第１磁気ヘッドおよび第２磁気ヘッドが挿入される。これにより、両面磁気テープを磁気ヘッド（第１磁気ヘッドおよび第２磁気）に当接する位置までローディングする必要がなくなる。
【００１２】
また、請求項２に記載された発明は、請求項１に記載の磁気テープカートリッジにおいて、前記磁気ヘッド挿入口を開閉するシャッタが取り付けられたことを特徴とする。
【００１３】
請求項２に記載の磁気テープカートリッジでは、磁気ヘッド挿入口を開閉するシャッタが取り付けられているため、不使用時にはシャッタを閉じることにより磁気ヘッド挿入口からの塵埃の侵入が防がれ、使用時にはシャッタを開くことにより磁気ヘッド挿入口から磁気ヘッドの挿入が可能となる。
【００１４】
また、請求項３に記載された発明は、請求項１または請求項２に記載された磁気テープカートリッジのカートリッジケースに収容された両面磁気テープに対し、データの記録／再生を行う磁気テープドライブであって、前記磁気テープカートリッジが装着されるスピンドルと、前記磁気テープの第１面に対しデータの記録／再生を行うための第１磁気ヘッドと、前記第１面のテープ裏側の第２面に対しデータの記録／再生を行うための第２磁気ヘッドとを備え、前記第１磁気ヘッドおよび前記第２磁気ヘッドは、前記磁気テープカートリッジが前記スピンドルに装着された後に、前記磁気テープに当接する位置まで移動するように構成したことを特徴とする。
【００１５】
請求項３に記載の磁気テープドライブでは、磁気テープカートリッジが装着されるスピンドルと、両面磁気テープの第１面に対しデータの記録／再生を行うための第１磁気ヘッドと、前記第１面のテープ裏側の第２面に対しデータの記録／再生を行うための第２磁気ヘッドとを備え、第１磁気ヘッドおよび第２磁気ヘッドは、磁気テープカートリッジがスピンドルに装着された後に、両面磁気テープに当接する位置まで移動するように構成されている。即ち、第１磁気ヘッドおよび第２磁気ヘッドは、磁気テープカートリッジがスピンドルに装着される際に、その装着の邪魔にならない位置に存在し、磁気テープカートリッジが装着された後で、両面磁気テープに当接する位置まで移動する。これにより、両面磁気テープを磁気ヘッド（第１磁気ヘッドおよび第２磁気）に当接する位置までローディングする必要がなくなる。
【発明の効果】
【００１６】
このような磁気テープカートリッジおよび磁気テープドライブによれば、両面磁気テープを磁気ヘッドに当接する位置までローディングする必要がなくなるため、磁気テープドライブの装置設計の複雑化を防ぐことができる。
【発明を実施するための最良の形態】
【００１７】
次に、本発明の実施形態について、適宜図面を参照しながら説明する。まず、本発明に係る磁気テープカートリッジについて説明する。参照する図１は、本発明に係る磁気テープカートリッジの分解斜視図であり、図２は、本発明に係る磁気テープカートリッジが組み立てられた状態において、下ハーフ側から見た斜視図である。
【００１８】
図１に示すように、磁気テープカートリッジ１は、両面磁気テープＢＭＴが巻回された一対のカートリッジリール２と、この一対のカートリッジリール２が回転可能に収容されたカートリッジケース３とを備えている。カートリッジリール２は、対をなす供給リール２ａと巻取リール２ｂとから構成されている。また、カートリッジケース３は、上ハーフ３ａと下ハーフ３ｂとに分割構成されている。なお、以下の説明では、両面磁気テープＢＭＴが供給リール２ａに巻回された状態において、外巻面を第１面ＢＭＴａとし、内巻面を第２面ＢＭＴｂとする。
【００１９】
供給リール２ａおよび巻取リール２ｂは、それぞれ内周面２ｃおよび２ｄに、後記する磁気テープドライブ１０のスピンドル１６ａ，１６ｂ（図４参照）と係合させるための凸部２ｅが６箇所ずつ設けられている。そして、下ハーフ３ｂには、スピンドル１６ａ，１６ｂを挿入するためのスピンドル挿入口３ｃ，３ｄが設けられている。これにより、磁気テープカートリッジ１は、スピンドル１６ａ，１６ｂに、下ハーフ３ｂ側の面（以下、「裏面」という）から装着可能となる。
【００２０】
上ハーフ３ａは、磁気テープカートリッジ１が組み立てられた状態において、供給リール２ａまたは巻取リール２ｂにおける両面磁気テープＢＭＴの巻き量を外部から確認（視認）するための透明な樹脂製の窓３ｅを備えている。また、下ハーフ３ｂは、両面磁気テープＢＭＴの第１面ＢＭＴａに対しデータの記録／再生を行うための第１磁気ヘッド１７ａ（図４参照）と、両面磁気テープＢＭＴの第２面ＢＭＴｂに対しデータの記録／再生を行うための第２磁気ヘッド１７ｂ（図４参照）とが挿入される磁気ヘッド挿入口３ｆを備えている。さらに、下ハーフ３ｂは、両面磁気テープＢＭＴが磁気ヘッド挿入口３ｆの略中央を通るように案内するガイドローラ４ａ，４ｂを備えている。
【００２１】
また、磁気テープカートリッジ１は、磁気ヘッド挿入口３ｆおよびスピンドル挿入口３ｃ，３ｄを開閉するシャッタ５と、このシャッタ５を一定方向に付勢するねじりコイルばね６，６と、磁気テープカートリッジ１の使用時において、シャッタ５が収納されるシャッタホルダ７とを備えている。シャッタ５は、磁気ヘッド挿入口３ｆおよびスピンドル挿入口３ｃ，３ｄを閉塞する閉塞板５ａと、この閉塞板５ａの幅方向にわたる側縁に設けられた側板５ｂ，５ｂとから構成されている。シャッタ５の側板５ｂ，５ｂには、磁気テープカートリッジ１が、後記する磁気テープドライブ１０（図３参照）に挿入される際に、磁気テープドライブ１０に設けられたストッパ１４，１４（図３参照）と当接するストッパ当接部５ｃ，５ｃが突設されている。また、シャッタホルダ７は、磁気テープカートリッジ１の使用時においてシャッタ５の閉塞板５ａに面する底板７ａと、この底板７ａの幅方向にわたる側縁に設けられた側板７ｂ，７ｂと、底板７ａの長手方向にわたる一方の側縁に設けられた側板７ｃとから構成されている。また、ねじりコイルばね６，６は、磁気テープカートリッジ１が組み立てられた状態において、その一方の端部６ａ，６ａがシャッタ５の側板５ｂ，５ｂに設けられた係合穴５ｄ，５ｄと係合し、他方の端部６ｂ，６ｂがシャッタホルダ７の側板７ｂ，７ｂに設けられた係合穴７ｄ，７ｄと係合することにより取り付けられている。
【００２２】
シャッタ５は、磁気テープカートリッジ１の不使用時においては、図２に示すように
ねじりコイルばね６，６の付勢力により、図中Ａ方向に付勢され、上ハーフ３ａおよび下ハーフ３ｂの側壁に跨って設けられた当接面３ｇ，３ｇと、下ハーフ３ｂの下壁に設けられた当接面３ｈとに当接している。これにより、磁気テープカートリッジ１の不使用時において、磁気ヘッド挿入口３ｆおよびスピンドル挿入口３ｃ，３ｄからの塵埃の侵入を防ぐことができる。
【００２３】
次に、本発明の第１実施形態に係る磁気テープドライブであって、磁気テープカートリッジ１に備えた両面磁気テープＢＭＴに対し、データの記録／再生を行う磁気テープドライブ１０について、適宜図面を参照しながら説明する。参照する図３〜図５は、磁気テープカートリッジ１が、磁気テープドライブ１０に挿入され、スピンドル１６ａ，１６ｂに装着される様子を説明する斜視図であり、このうち、図３は挿入前の状態を示し、図４は挿入後で、カートリッジ装着台１５がスライドする前の状態を示し、図５は磁気テープカートリッジ１が磁気テープドライブ１０のスピンドル１６ａ，１６ｂに装着された状態を示す。また、図６は、磁気テープカートリッジ１をスピンドル１６ａ，１６ｂに装着した状態における第１磁気ヘッド１７ａおよび第２磁気ヘッド１７ｂの動作を説明する図であり、このうち（ａ）は、第１磁気ヘッド１７ａおよび第２磁気ヘッド１７ｂの回転移動前（即ち図５の状態の平面図）を示し、（ｂ）は、図６（ａ）のＣ−Ｃ線断面図を示し、（ｃ）は第１磁気ヘッド１７ａおよび第２磁気ヘッド１７ｂの回転移動後を示す。
【００２４】
図３に示すように、磁気テープドライブ１０は、磁気テープカートリッジ１が挿入されるカートリッジ挿入口１１を備えている。また、カートリッジ挿入口１１の奥部の内側壁１２，１２には、それぞれ、挿入される磁気テープカートリッジ１を載置する載置面１３，１３と、挿入される磁気テープカートリッジ１のシャッタ５に設けられたストッパ当接部５ｃ，５ｃに当接するストッパ１４，１４とが設けられている。さらに磁気テープドライブ１０の内部において、挿入された磁気テープカートリッジ１の裏面に位置するようにカートリッジ装着台１５が設けられており、このカートリッジ装着台１５は、磁気テープカートリッジ１がカートリッジ挿入口１１から挿入され、載置面１３，１３に載置された後で、図３中上方にスライドする。これにより、磁気テープカートリッジ１がカートリッジ装着台１５に設けられたスピンドル１６ａ，１６ｂに装着されるように構成されている。また、カートリッジ装着台１５には、後記するように、第１磁気ヘッド１７ａおよび第２磁気ヘッド１７ｂが、磁気ヘッド回動軸１８を中心に回動自在となるように取り付けられている。
【００２５】
次に、磁気テープドライブ１０の動作について説明する。まず、磁気テープカートリッジ１をカートリッジ挿入口１１から挿入する。この際、磁気テープカートリッジ１のシャッタ５に設けられたストッパ当接部５ｃ，５ｃが、磁気テープドライブ１０に設けられたストッパ１４，１４に当接する。これにより、シャッタ５の更なる挿入が阻止される。そして、図４に示すように、磁気テープカートリッジ１をねじりコイルばね６，６の付勢力に抗して更にカートリッジ挿入口１１の奥へ挿入することにより、シャッタ５以外の磁気テープカートリッジ１の構成部品が挿入方向にスライドし、その結果、磁気ヘッド挿入口３ｆおよびスピンドル挿入口３ｃ，３ｄが開放される。この際、シャッタ５はシャッタホルダ７に収納される。
【００２６】
続いて、スピンドル１６ａ，１６ｂ、第１磁気ヘッド１７ａおよび第２磁気ヘッド１７ｂが設けられたカートリッジ装着台１５が、図示しないカートリッジ装着台駆動機構により、図４の矢印Ｂ方向に磁気テープカートリッジ１に向かってスライドする。これにより、図５に示すように、スピンドル１６ａ，１６ｂと、磁気テープカートリッジ１の供給リール２ａおよび巻取リール２ｂとが係合し、磁気テープカートリッジ１がスピンドル１６ａ，１６ｂに装着される。この際、第１磁気ヘッド１７ａおよび第２磁気ヘッド１７ｂが磁気ヘッド挿入口３ｆから挿入される。
【００２７】
また、図５の平面図である図６（ａ）に示すように、磁気テープカートリッジ１がスピンドル１６ａ，１６ｂに装着された状態においては、両面磁気テープＢＭＴは、ガイドローラ４ａから、第１磁気ヘッド１７ａと第２磁気ヘッド１７ｂとの間を通って、ガイドローラ４ｂに架け渡されている。ここで、図６（ａ）のＣ−Ｃ線断面図である図６（ｂ）に示すように、第１磁気ヘッド１７ａおよび第２磁気ヘッド１７ｂは、磁気ヘッド回動軸１８に回動自在に支持された磁気ヘッド装着台１９に装着されており、さらに図６（ａ）に示すように、第１磁気ヘッド１７ａおよび第２磁気ヘッド１７ｂは、磁気ヘッド回動軸１８に対し、回転対称となるように位置している。
【００２８】
そして、両面磁気テープＢＭＴに対し、データを記録／再生するときは、まず、第１磁気ヘッド１７ａおよび第２磁気ヘッド１７ｂが、図６（ａ）のＤ方向（図中反時計回り）に略９０°回転するように、図示しない磁気ヘッド駆動機構により磁気ヘッド回動軸１８を回転駆動させる。これにより、図６（ｃ）に示すように、第１磁気ヘッド１７ａが、両面磁気テープＢＭＴの第１面ＢＭＴａに当接し、第２磁気ヘッド１７ｂが、両面磁気テープＢＭＴの第２面ＢＭＴｂに当接する。
【００２９】
続いて、図示しないスピンドル駆動機構により、スピンドル１６ａを図６（ｃ）のＥ方向に回転駆動させ、スピンドル１６ｂを図６（ｃ）のＦ方向に回転駆動させることによって、両面磁気テープＢＭＴが供給リール２ａから巻取リール２ｂへと搬送される。この際、第１磁気ヘッド１７ａによって、両面磁気テープＢＭＴの第１面ＢＭＴａに対してデータの記録／再生が行われ、第２磁気ヘッド１７ｂによって、両面磁気テープＢＭＴの第２面ＢＭＴｂに対してデータの記録／再生が行われる。なお、両面磁気テープＢＭＴの第１面ＢＭＴａまたは第２面ＢＭＴｂのいずれか一方の面のみに対し、データの記録／再生を行うこともできる。
【００３０】
また、巻取リール２ｂから供給リール２ａへ両面磁気テープＢＭＴを巻き戻す場合は、図示しないスピンドル駆動機構により、スピンドル１６ａを図６（ｃ）のＦ方向に回転駆動させ、スピンドル１６ｂを図６（ｃ）のＥ方向に回転駆動させればよい。更に、この巻き戻しの際に、両面磁気テープＢＭＴの第１面ＢＭＴａおよび第２面ＢＭＴｂ、または第１面ＢＭＴａもしくは第２面ＢＭＴｂのいずれか一方の面に対してデータの記録／再生を行うこともできる。
【００３１】
以上のように、磁気テープカートリッジ１がスピンドル１６ａ，１６ｂに装着される際には、第１磁気ヘッド１７ａおよび第２磁気ヘッド１７ｂが、磁気テープカートリッジ１の装着の邪魔にならないように、両面磁気テープＢＭＴを挟んだ両側に位置し［図６（ａ）参照］、磁気テープカートリッジ１がスピンドル１６ａ，１６ｂに装着された後で、第１磁気ヘッド１７ａおよび第２磁気ヘッド１７ｂが、両面磁気テープＢＭＴに当接する位置［図６（ｃ）参照］まで移動するため、両面磁気テープＢＭＴを第１磁気ヘッド１７ａおよび第２磁気ヘッド１７ｂに当接する位置までローディングする必要がなくなる。
【００３２】
次に、本発明の第２実施形態に係る磁気テープドライブであって、磁気テープカートリッジ１に備えた両面磁気テープＢＭＴに対し、データの記録／再生を行う磁気テープドライブ２０について、適宜図面を参照して説明する。参照する図７は磁気テープドライブ２０に備えたカートリッジ装着台２１の斜視図であり、図８（ａ）および図８（ｂ）は、それぞれ、第１実施形態において説明した図６（ａ）および図６（ｃ）に対応する図である。
【００３３】
図７に示すように、磁気テープドライブ２０は、そのカートリッジ装着台２１に設けられた２つのガイド溝２２ａ，２２ｂにスライド可能に取り付けられた第１磁気ヘッド２３ａおよび第２磁気ヘッド２３ｂを備えている。ガイド溝２２ａ，２２ｂは、それぞれカートリッジ装着台２１の長手方向に延設されており、このガイド溝２２ａ，２２ｂに沿って、第１磁気ヘッド２３ａおよび第２磁気ヘッド２３ｂがそれぞれ独立してスライド可能となるように取り付けられている。なお、その他の構成については第１実施形態である磁気テープドライブ１０と同一であるため、第１実施形態と同一構成のものについては、同一の符号を付して、その説明は省略するものとする。
【００３４】
この磁気テープドライブ２０に、磁気テープカートリッジ１を第１実施形態と同様の方法で、スピンドル１６ａ，１６ｂに装着させると、図８（ａ）に示すように、第１磁気ヘッド２３ａが、両面磁気テープＢＭＴの第１面ＢＭＴａに向き合うように磁気ヘッド挿入口３ｆから挿入され、第２磁気ヘッド２３ｂが、両面磁気テープＢＭＴの第２面ＢＭＴｂに向き合うように磁気ヘッド挿入口３ｆから挿入される。
【００３５】
そして、この両面磁気テープＢＭＴに対し、データを記録／再生するときは、図示しない磁気ヘッド駆動機構により、第１磁気ヘッド２３ａを図８（ａ）の矢印Ｇ方向（図中左方向）にガイド溝２２ａに沿ってスライドさせ、第２磁気ヘッド２３ｂを図８（ａ）の矢印Ｈ方向（図中右方向）にガイド溝２２ｂに沿ってスライドさせる。これにより、図８（ｂ）に示すように、第１磁気ヘッド２３ａが、両面磁気テープＢＭＴの第１面ＢＭＴａに当接し、第２磁気ヘッド２３ｂが、両面磁気テープＢＭＴの第２面ＢＭＴｂに当接するため、両面磁気テープＢＭＴの第１面ＢＭＴａおよび第２面ＢＭＴｂ、または第１面ＢＭＴａもしくは第２面ＢＭＴｂのいずれか一方の面に対してデータの記録／再生を行うことができる。
【００３６】
以上、本発明の実施形態について説明したが、本発明は前記実施形態には限定されない。例えば、前記実施形態においては、カートリッジケース３の裏面に磁気ヘッド挿入口３ｆを備えた磁気テープカートリッジ１（図１参照）を用いたが、本発明はこれに限定されず、図９（ａ）に示すように、カートリッジケース３’の側面に磁気ヘッド挿入口３ｆ’および磁気ヘッド挿入口３ｆ’’を備えた磁気テープカートリッジ１’を用いてもよい。この磁気テープカートリッジ１’の両面磁気テープＢＭＴ’の両面に対し、データを記録／再生するときは、図９（ａ）に示すように、磁気テープカートリッジ１’を磁気テープドライブ２０’のスピンドル１６ａ’，１６ｂ’に装着させた後に、図９（ｂ）に示すように、第１磁気ヘッド２３ａ’および第２磁気ヘッド２３ｂ’を、それぞれ両面磁気テープＢＭＴ’に当接するように、図示しない磁気ヘッド駆動機構によりスライドさせればよい。
【図面の簡単な説明】
【００３７】
【図１】本発明に係る磁気テープカートリッジの分解斜視図である。
【図２】本発明に係る磁気テープカートリッジが組み立てられた状態において、下ハーフ側から見た斜視図である。
【図３】本発明に係る磁気テープカートリッジが、本発明の第１実施形態に係る磁気テープドライブに挿入される前の状態を示す斜視図である。
【図４】本発明に係る磁気テープカートリッジが、本発明の第１実施形態に係る磁気テープドライブに挿入された後で、カートリッジ装着台がスライドする前の状態を示す斜視図である。
【図５】本発明に係る磁気テープカートリッジが、本発明の第１実施形態に係る磁気テープドライブのスピンドルに装着された状態を示す斜視図である。
【図６】本発明に係る磁気テープカートリッジを、本発明の第１実施形態に係る磁気テープドライブのスピンドルに装着した状態における第１磁気ヘッドおよび第２磁気ヘッドの動作を説明する図であり、このうち（ａ）は、第１磁気ヘッドおよび第２磁気ヘッドの回転移動前を示し、（ｂ）は、（ａ）のＣ−Ｃ線断面図を示し、（ｃ）は第１磁気ヘッドおよび第２磁気ヘッドの回転移動後を示す。
【図７】本発明の第２実施形態に係る磁気テープドライブに備えたカートリッジ装着台の斜視図である。
【図８】本発明に係る磁気テープカートリッジを、本発明の第２実施形態に係る磁気テープドライブのスピンドルに装着した状態における第１磁気ヘッドおよび第２磁気ヘッドの動作を説明する図であり、このうち（ａ）は、第１磁気ヘッドおよび第２磁気ヘッドがスライドする前の状態を示し、（ｂ）は第１磁気ヘッドおよび第２磁気ヘッドがスライドした後の状態を示す。
【図９】図１に示すカートリッジケースの変形例を用いた磁気テープカートリッジを、磁気テープドライブのスピンドルに装着した状態における第１磁気ヘッドおよび第２磁気ヘッドの動作を説明する図であり、このうち（ａ）は、第１磁気ヘッドおよび第２磁気ヘッドがスライドする前の状態を示し、（ｂ）は第１磁気ヘッドおよび第２磁気ヘッドがスライドした後の状態を示す。
【図１０】従来の磁気テープドライブにおいて、両面磁気テープの第１面にデータを記録／再生するために、両面磁気テープを回転ヘッドに巻き付けた状態を示す平面図である。
【図１１】従来の磁気テープドライブにおいて、両面磁気テープの第２面にデータを記録／再生するために、両面磁気テープを磁気テープカートリッジ内から引き出した状態を示す平面図である。
【図１２】従来の磁気テープドライブにおいて、両面磁気テープの第２面にデータを記録／再生するために、両面磁気テープを回転ヘッドに巻き付けた状態を示す平面図である。
【符号の説明】
【００３８】
１        磁気テープカートリッジ
２        カートリッジリール
３        カートリッジケース
３ｆ      磁気ヘッド挿入口
５        シャッタ
１０      磁気テープドライブ
１７ａ    第１磁気ヘッド
１７ｂ    第２磁気ヘッド
２０      磁気テープドライブ
２３ａ    第１磁気ヘッド
２３ｂ    第２磁気ヘッド
ＢＭＴ    両面磁気テープ
ＢＭＴａ  第１面
ＢＭＴｂ  第２面
【図１】
2005166094.tif 000003
【図２】
2005166094.tif 000004
【図３】
2005166094.tif 000005
【図４】
2005166094.tif 000006
【図５】
2005166094.tif 000007
【図６】
2005166094.tif 000008
【図７】
2005166094.tif 000009
【図８】
2005166094.tif 000010
【図９】
2005166094.tif 000011
【図１０】
2005166094.tif 000012
【図１１】
2005166094.tif 000013
【図１２】
2005166094.tif 000014